(57)【要約】【課題】従来と同等の乾燥性能を維持しつつ、低騒音化を実現した手乾燥装置を得ることを目的とする。【解決手段】吸気口６から吸気した空気を高圧空気流発生装置３によって加圧した後、メインノズル２によって高速の空気流に変換して乾燥室１に噴射させ、この高速の空気流により手に付着した水分を吹き飛ばして手を乾燥させる手乾燥装置であって、メインノズル２の外周に、高圧空気流発生装置３からメインノズル２と別風路で構成したサブノズル４を形成しメインノズル２とサブノズル４から噴射することにより、噴流騒音を低減できる手乾燥装置を得られる。【選択図】図１
2007143584.tif 000002
【特許請求の範囲】
【請求項１】
吸気口から吸気した空気を加圧する高圧空気流発生装置と、凹状に形成された乾燥室と、前記乾燥室に向けて温風を噴出するメインノズルを備えた手乾燥装置であって、前記メインノズルの外周に、前記高圧空気流発生装置から別風路で構成するサブノズルを有することを特徴とする手乾燥装置。
【請求項２】
サブノズルの吹出口形状が、スリット状であることを特徴とする請求項１記載の手乾燥装置。
【請求項３】
サブノズルの吹出口形状が、孔状であることを特徴とする請求項１記載の手乾燥装置。
【請求項４】
サブノズルからの空気流の流速を０より大きくメインノズル流速の１／１０以下に設定したことを特徴とする請求項１〜３のいずれかに記載の手乾燥装置。
【請求項５】
高圧空気流発生装置とメインノズルおよびサブノズルの間に、ヒーターを備えたことを特徴とする請求項１記載の手乾燥装置。
【請求項６】
高圧空気流発生装置とサブノズルの間に、液体噴霧発生装置を備えたことを特徴とする請求項１記載の手乾燥装置。
【請求項７】
メインノズルの長さがサブノズルの先端より突出したことを特徴とする請求項１記載の手乾燥装置。
【請求項８】
メインノズルの外周の片側のみにサブノズルを有することを特徴とする請求項１記載の手乾燥装置。
【請求項９】
吸気口から吸気した空気を加圧する高圧空気流発生装置と、凹状に形成された乾燥室と、前記乾燥室に向けて温風を噴出するメインノズルを備えた手乾燥装置であって、前記メインノズルの外周に、前記高圧空気流発生装置から別風路で構成するサブノズルを有し、前記メインノズルの外周に設けた前記サブノズルへの送風手段を、前記メインノズルへ送風する前記高圧空気流発生装置とは異なる高圧空気流発生装置を使用することを特徴とする手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来の手乾燥装置は、吸気口から吸気した空気を高圧空気流発生装置によって加圧した後、メインノズルによって高速の空気流に変換して手挿入空間に噴射させ、この高速の空気流により手に付着した水分を吹き飛ばして手を乾燥させる手乾燥装置であって、メインノズルの外周にサブノズルを形成し、メインノズルとサブノズルから噴射した高速の空気流の一部を手挿入空間からサブノズルへ導く独立した流路によって循環させ、サブノズルから噴射する空気流として再利用していた（例えば、特許文献１参照）。
【０００３】
以下、その手乾燥装置について、図１０を参照しながら説明する。
【０００４】
図に示すように、吸気口１０１から吸気した空気を高圧空気流発生装置１０２によって加圧した後、メインノズル１０３によって高速の空気流に変換して手挿入空間１０４に噴射させ、高速の空気流により手に付着した水分を吹き飛ばして手を乾燥させる手乾燥装置であって、メインノズル１０３の外周にサブノズル１０５を形成し、メインノズル１０３とサブノズル１０５から噴射した高速の空気流の一部を手挿入空間１０４からサブノズル１０５へ導く流路１０６によって循環させ、サブノズル１０５から噴射させる。
【特許文献１】特開２００４−２５４９８９号公報
【発明の開示】
【発明が解決しようとする課題】
【０００５】
このような従来の手乾燥装置では、サブノズルからの噴流に循環流の利用を行うので、高速噴流によって吹き飛ばした水滴や、水受けに付着した水滴が循環流の中に混じり、汚水が手に再付着するという課題がある。
【０００６】
また、手に当たった風は、手を乾かす動作によって不規則に循環するため、サブノズル噴流の供給が不安定になり、騒音が大きくなるという課題がある。
【０００７】
本発明は、このような従来の課題を解決するものであり、汚水が手に再付着することなく、低騒音な手乾燥装置を提供することを目的としている。
【課題を解決するための手段】
【０００８】
本発明の手乾燥装置は上記目的を達成するために、吸気口から吸気した空気を加圧する高圧空気流発生装置と、凹状に形成された乾燥室と、前記乾燥室に向けて温風を噴出するメインノズルを備えた手乾燥装置であって、前記メインノズルの外周に、前記高圧空気流発生装置から別風路で構成するサブノズルを有したものである。
【０００９】
この手段により、汚水が手に再付着することなく、低騒音な手乾燥装置が得られる。
【００１０】
また、他の手段は、サブノズルの吹出口形状をスリット状にしたものである。
【００１１】
この手段により、吹出口低騒音な手乾燥装置が得られる。
【００１２】
また、他の手段は、サブノズルの吹出口形状を孔状にしたものである。
【００１３】
この手段により、低騒音な乾燥装置が得られる。
【００１４】
また、他の手段は、サブノズルからの空気流の流速を０より大きくメインノズルからの流速の１／１０以下に設定したものである。
【００１５】
この手段により、低騒音な手乾燥装置が得られる。
【００１６】
また、他の手段は、高圧空気流発生装置とメインノズルおよびサブノズルの間に、ヒーターを備えたものである。
【００１７】
この手段により、乾燥時間を短縮する手乾燥装置が得られる。
【００１８】
また、他の手段は、高圧空気流発生装置とサブノズルの間に、液体噴霧発生装置を備えたものである。
【００１９】
この手段により、殺菌や芳香のできる手乾燥装置が得られる。
【００２０】
また、他の手段は、メインノズルの長さがサブノズルの先端より突出したものである。
【００２１】
この手段により、サブノズルの噴流をスムーズに誘引できる低騒音な手乾燥装置が得られる。
【００２２】
また、他の手段は、メインノズルの外周の片側のみにサブノズルを有したものである。
【００２３】
この手段により、構造が簡単で低騒音な手乾燥装置が得られる。
【００２４】
また、他の手段は、吸気口から吸気した空気を加圧する高圧空気流発生装置と、凹状に形成された乾燥室と、前記乾燥室に向けて温風を噴出するメインノズルを備えた手乾燥装置であって、前記メインノズルの外周に、前記高圧空気流発生装置から別風路で構成するサブノズルを有し、前記メインノズルの外周に設けた前記サブノズルへの送風手段を、前記メインノズルへ送風する前記高圧空気流発生装置とは異なる高圧空気流発生装置を使用するものである。
【００２５】
この手段により、低騒音な手乾燥装置が得られる。
【発明の効果】
【００２６】
本発明によれば、吸気口から吸気した空気を加圧する高圧空気流発生装置と、凹状に形成された乾燥室と、前記乾燥室に向けて温風を噴出するメインノズルを備えた手乾燥装置であって、前記メインノズルの外周に、前記高圧空気流発生装置から別風路で構成するサブノズルを有したことにより、乾燥室に付着した水滴が循環流の中に混じらず、また、メインノズルからの高速噴流をサブノズルからの安定した噴流供給で、メインノズルからの高速噴流を覆うことにより大気との混合がスムーズに行われるため噴流騒音を抑える効果のある手乾燥装置を提供できる。
【００２７】
また、サブノズルの吹出口形状が、スリット状であることにより、噴流騒音を抑える効果のある手乾燥装置を提供できる。
【００２８】
また、サブノズルの吹出口形状が、孔状であることにより、噴流騒音を抑制する効果のある手乾燥装置を提供できる。
【００２９】
また、サブノズルからの空気流の流速を０より大きくメインノズル流速の１／１０以下に設定することにより、噴流騒音を抑制する効果の大きい手乾燥装置を提供できる。
【００３０】
また、高圧空気流発生装置とメインノズルおよびサブノズルの間に、ヒーターを備えることにより、温風を吹出すことができ短時間乾燥できる手乾燥装置を提供できる。
【００３１】
また、高圧空気流発生装置とサブノズルの間に、液体噴霧発生装置を備えたことにより、芳香や殺菌効果のある手乾燥装置を提供できる。
【００３２】
また、メインノズルの長さがサブノズルの先端より突出することで、サブノズルの噴流をスムーズに誘引でき、低騒音に効果のある手乾燥装置を提供できる。
【００３３】
また、メインノズルの外周の片側のみにサブノズルを有したことにより、構成が簡単で、かつ、噴流騒音を抑える効果のある手乾燥装置を提供できる。
【００３４】
また、本発明によれば、吸気口から吸気した空気を加圧する高圧空気流発生装置と、凹状に形成された乾燥室と、前記乾燥室に向けて温風を噴出するメインノズルを備えた手乾燥装置であって、前記メインノズルの外周に、前記高圧空気流発生装置から別風路で構成するサブノズルを有し、前記メインノズルの外周に設けた前記サブノズルへの送風手段を、前記メインノズルへ送風する前記高圧空気流発生装置とは異なる高圧空気流発生装置を使用することにより、噴流騒音を抑える効果のある手乾燥装置を提供できる。
【発明を実施するための最良の形態】
【００３５】
本発明の請求項１記載の手乾燥装置は、吸気口から吸気した空気を加圧する高圧空気流発生装置と、凹状に形成された乾燥室と、前記乾燥室に向けて温風を噴出するメインノズルを備えた手乾燥装置であって、前記メインノズルの外周に、前記高圧空気流発生装置から別風路で構成するサブノズルを有することにより、乾燥室に付着した水滴が循環流の中に混じらず、また、高速噴流をサブノズルからの安定した噴流供給でメインノズルからの高速噴流を覆うため大気との混合がスムーズに行われ、噴流騒音を抑える作用を有する。
【００３６】
また、本発明の請求項２記載の手乾燥装置は、サブノズルの吹出口形状を、スリット状にしたものであり、メインノズルからの噴流をサブノズルからの噴流で覆うことができるため、噴流騒音を抑制することができる作用を有する。
【００３７】
また、本発明の請求項３記載の手乾燥装置は、サブノズルの吹出口形状を、孔状にしたものであり、スリット状に比べて開口面積を抑えることができ、また、孔からの噴流が、メインノズルからの噴流構造を変化させるため噴流騒音を抑制する作用を有する。
【００３８】
また、本発明の請求項４記載の手乾燥装置は、サブノズルからの空気流の流速を０より大きくメインノズルからの流速の１／１０以下に設定したものであり、サブノズルからの流速を調整することでメインノズルからの噴流騒音を制御する作用を有する。
【００３９】
本発明の請求項５記載の手乾燥装置は、高圧空気流発生装置とメインノズルおよびサブノズルの間に、ヒーターを備えたものであり、ヒーターからの温風により乾燥時間を短縮する作用を有する。
【００４０】
本発明の請求項６記載の手乾燥装置は、高圧空気流発生装置とサブノズルの間に、液体噴霧発生装置を備えたものであり、アルコールや芳香剤などをサブノズルからの噴流に混合して噴出することができるため手の殺菌やトイレ空間の芳香をする作用を有する。
【００４１】
本発明の請求項７記載の手乾燥装置は、メインノズルの長さがサブノズルの先端より突出したものであり、メインノズルの誘引力によりサブノズルからの噴流を効率よくスムーズに噴出することで噴流騒音を抑制する作用を有する。
【００４２】
本発明の請求項８記載の手乾燥装置は、メインノズルの外周の片側のみにサブノズルを備えたものであり、構造が簡単で、かつ、サブノズルへの誘引力によりサブノズルからの噴流が効率よくスムーズに噴出する作用を有する。
【００４３】
本発明の請求項９記載の手乾燥装置は、メインノズルの外周に設けたサブノズルへの送風手段を、メインノズルへ送風する高圧空気流発生装置とは異なる高圧空気流発生装置を使用するものであり、メインノズルからの風量を落とすことなく、サブノズルからの噴流を送ることができ、風量も調整できるため噴流騒音を効果的に制御することができ、また、乾燥時間も短縮できる作用を有する。
【００４４】
以下、本発明の実施の形態について図面を参照しながら説明する。
【００４５】
（実施の形態１）
まず、図１を用いて、本実施の形態１による手乾燥装置の外観形状について説明する。
【００４６】
図１に示すように、本実施の形態１による手乾燥装置は、装置本体の下部に乾燥室１を形成している。乾燥室１は、濡れた手を挿入できるよう凹状の空間を形成している。乾燥室１の上方には、メインノズル２が形成されており、さらにメインノズル２の外周に、高圧空気流発生装置３から別風路でサブノズル４が設けられている。装置本体は、本体ケース５に覆われており、内部には高圧空気流発生装置３が設置されている。吸気口６から吸い込まれた空気は、高圧空気流発生装置３によって送風されメインノズル２とサブノズル４より乾燥室１に向かって吹出される。サブノズル４への風は、高圧空気流発生装置３からメインノズル２とは別風路で送られる。吹出された高圧の空気は手に付着した水滴を吹き飛ばし、手を乾燥させる。乾燥室１の底部７に排水口８が設けられており、この排水口８の下部には、水滴を受容するドレンカップ９が着脱可能に設けられている。
【００４７】
高圧空気流発生装置３の内部にはファンモータ１０が備えてあり、本体ケース５の乾燥室１の真上に、吸気側を背面側にして取付けられている。高圧空気流発生装置３の吸気側は乾燥室１の上部に設けられた吸気口６から着脱可能のエアフィルター１１を通じて空気を取り込むことができるようになっている。また、図２のように吸気路１２を乾燥室１の背面を通じてドレンカップ９の下から吸気してもよい。
【００４８】
このファンモータ１０の外側はモーターケース１３によって覆われ、モーターケース１３の内部にはヒーター１４が設けられており、高圧空気流発生装置３から送られてくる高圧空気はヒーター１４を通過して加熱された後、高圧空気が高速の空気流に変換され、メインノズル２を通過してメインノズル吹出口１５から乾燥室１に吹き出す。
【００４９】
また、メインノズル２およびサブノズル４は、共に、乾燥室１の手挿入口近傍の上部に、メインノズル吹出口１５とサブノズル吹出口１６を下向きにして取付けられ、メインノズル２からの高速の空気流を、サブノズル４からの空気流が包み込むことにより、メインノズル２からの高速の空気流すなわち噴流が乾燥室１に吹き出される際に発生する急激な圧力変動にともなう騒音を低減しつつ、乾燥室１内に入れた手に吹き付けられ、手に付いた水滴を手の表面から剥離し吹き飛ばす。
【００５０】
次に図３〜図６を用いてサブノズルの形態について説明する。図３は、ノズル部構成図、図４はスリット状のサブノズルの形状を示す図、図５は孔状のサブノズルの形状を示す図である。
【００５１】
図３に示すように、メインノズル２の外周には、メインノズル２を囲むようにサブノズル４が設けられており、メインノズル吹出口１５はサブノズル吹出口１６と同じ位置もしくは乾燥室側に突出している。これにより、サブノズル４からの空気流をメインノズル２からの空気流によりスムーズに誘引することができるため噴流騒音の低減に効果がある。
【００５２】
図４は、サブノズル４の形状がスリット１７状になっている形態である。これによりメインノズル２からの噴流を全体的に包み込むことにより噴流騒音を抑制し、外気流を遮断することができる。
【００５３】
図５はサブノズル４の形状を孔１８状としたもので、スリット形状より開口面積が少なくてすむのでより少ない空気流で同様の効果が得られる。
【００５４】
なお、図４および図５では、サブノズル４は、メインノズル２をスリット形状に構成し、このメインノズル２の開口の両側に長さ方向にスリット１７および孔１８を沿わせて端まで設けている構成としたが、メインノズル２をスリット形状（開口の厚み方向に対して長さ方向を長くしている）に構成したことにより、その効果は、メインノズル２の外周を囲むようにサブノズル４を設けた構成と、何ら変わりないということは言うまでもない。
【００５５】
図６は、サブノズル４をメインノズル２の外周ではなく、メインノズル２の開口の片側のみに長さ方向に沿わせてに設けたものである。ファンモータ１０から供給される空気流量が少ない場合に、メインノズル２からの空気流を確保する必要がある。その際、片側のみにサブノズル４を設置することでも正面からの遮音効果および噴流騒音の抑制効果が得られる。
【００５６】
図７は、上記記載のように、メインノズル２からの空気流にサブノズル４からの空気流を徐々に付加した場合のノズルから発生する噴流の騒音値を示したグラフである。縦軸に騒音値、横軸にサブノズル４風速をとっており、ここではメインノズル２の風速を１００ｍ／ｓに設定している。グラフに示されるようにサブノズル４の風速を徐々に上げていくと、サブノズル４風速を付加しない風速０ｍ／ｓの場合の騒音値より徐々に減少してくる。そして、サブノズル４風速１０ｍ／ｓすなわちメインノズル２風速に対して、約１／１０程度となったとき最もメインノズル２からの噴流騒音抑制効果が現れる。それを超えると徐々に騒音値が増し、風速を上げすぎると逆に騒音値は大きくなる。このようにサブノズル４の風速を調整することにより噴流騒音抑制の効果を最大限に生かすことが可能である。また、サブノズル４からの空気流はモーターからの空気を分岐して使用しており、メインノズル２にできるだけ多くの空気流を送るには、サブノズル４から吹出す空気流はできるだけ少ないほうがよい。よって、少ない風量で騒音低減の効果を得るには、メインノズル２からの高速噴流を覆う程度を覆う程度の風速、例えば図７の条件の場合、５ｍ／ｓ〜１０ｍ／ｓ（メインノズル２の風速の１／１０）に設定したほうがよい。
【００５７】
このサブノズルから吹き出す空気流は、高圧空気流発生装置から送られてくる空気の一部をメインノズルとは別風路で導いたものである。この風路長や風路径を変えることでサブノズルへ送る空気の量を調整することができる。また図８のように小型モータやシロッコファンなど、高圧空気流発生装置３とは別駆動の高圧空気流発生装置１９を用いてもよい。サブノズルの風速および風量を調整することで、使用場所や使用環境に応じて最も噴流抑制効果の高い状態で手乾燥装置を使用することができる。
【００５８】
（実施の形態２）
実施の形態２では、図９に示すように実施の形態１で説明した高圧空気流発生装置３とサブノズル４の間の風路に液体噴霧発生装置２０を設置したものである。この液体噴霧発生装置２０には、液体の消毒用アルコールや芳香剤を入れることができる。消毒用アルコールの場合、乾燥室１に手を挿入すると、メインノズル２からの噴流で水滴を吹き飛ばすと同時にサブノズル４から消毒用アルコールが噴霧される。これにより手の消毒・殺菌を行うと同時に気化熱により乾燥時間も短縮することができる。より衛生的で快適な手乾燥装置を提供できる。また芳香剤の場合は、サブノズル４からの芳香剤によりトイレ空間の悪臭を緩和・消臭することができ快適なトイレ空間を提供することができる。
【産業上の利用可能性】
【００５９】
本発明の手乾燥装置は、レストランやホテルなどの洗面所やトイレに設置され、また病院の手術室や調理場においても適応できる。
【図面の簡単な説明】
【００６０】
【図１】本発明の実施の形態１の手乾燥装置の構成図
【図２】同別形態の構成図
【図３】同ノズルの吹出口の構成図
【図４】同スリット状のサブノズルの形状を示す図
【図５】同孔状のサブノズルの形状を示す図
【図６】同片側にサブノズルを備えた手乾燥装置の構成図
【図７】サブノズルの風速と騒音値の関係を示すグラフ
【図８】同別送風手段を備えた手乾燥装置の構成図
【図９】本発明の実施の形態２の手乾燥装置の構成図
【図１０】従来のサブノズルを備えた手乾燥装置の構成図
【符号の説明】
【００６１】
１    乾燥室
２    メインノズル
３    高圧空気流発生装置
４    サブノズル
６    吸気口
１４  ヒーター
１７  スリット
１８  孔
１９  高圧空気流発生装置
２０  液体噴霧発生装置
【図１】
2007143584.tif 000003
【図２】
2007143584.tif 000004
【図３】
2007143584.tif 000005
【図４】
2007143584.tif 000006
【図５】
2007143584.tif 000007
【図６】
2007143584.tif 000008
【図７】
2007143584.tif 000009
【図８】
2007143584.tif 000010
【図９】
2007143584.tif 000011
【図１０】
2007143584.tif 000012